(57)【要約】【課題】光源ユニットを外すときに確実に光源ユニットの把持ができる照明器具を容易に提供する。【解決手段】光源ユニット５０００は、器具本体部６１００に取り付けられた状態で被取付部９０１０に向かって立ち上がっているカバー側面部５２２０を有し、器具本体部６１００は、光源ユニット５０００の被取付部９０１０の側の部分が当接する天板受部９４０１と、被取付部９０１０の側の部分とカバー側面部５２２０との間に操作空間６０００Ｓを隔てて位置する第二側面部６１２２とを有し、操作空間６０００Ｓは光源ユニット５０００を外す際の操作空間として利用される。【選択図】図２９
2020113552.tif 000002
【特許請求の範囲】
【請求項１】
被取付部に取り付けられ、開口が形成されている器具本体部と、
前記開口を塞ぐように前記器具本体部に取り付けられる光源ユニットと、
を備え、
前記光源ユニットは、
前記器具本体部に取り付けられた状態で前記被取付部に向かって立ち上がっているカバー側面部を有し、
前記器具本体部は、前記光源ユニットの前記被取付部の側の部分が当接する受部と、前記被取付部の側の部分と前記カバー側面部との間に空間を隔てて位置する側面部とを有する照明器具。
【請求項２】
前記光源ユニットは、点灯装置を有し、
前記点灯装置は、前記器具本体部の前記開口よりも前記被取付部の側である内側に少なくとも一部が収容されるように取り付けられる請求項１に記載の照明器具。
【請求項３】
前記照明器具は、前記光源ユニットを前記被取付部の側に引っ張る固定機構を有する請求項１または請求項２に記載の照明器具。
【発明の詳細な説明】
【技術分野】
【０００１】
この発明は、照明器具に関する。
【背景技術】
【０００２】
従来より、天井などの被取付に設置されるスクエア型の照明器具において、被取付部に取り付けられた器具本体に、電源を搭載した光源ユニットが取り付けられるものがある。
特許文献１に記載の照明器具は、発光部、反射部を有する光源取付部、拡散パネル、拡散パネルを挟持する枠部を備える光源ユニットが被取付部に固定された本体部に取り付けられている照明器具が記載されている。この光源ユニットは、発光部を点灯させる為の電源ユニットが反射部の側方になるよう枠部に配設されている。
【０００３】
また、器具本体部は凹形状の収容部を有しており、光源ユニットは収容凹部に一部が収納さるよう回動しながら取り付けられるとともにカバーの側方より延出部が延出する照明器具がある。この照明器具は、延出部が光源ユニットと収容凹部との隙間を塞ぐことで、隙間の暗がりを塞いでいる（例えば、特許文献２）。
【先行技術文献】
【特許文献】
【０００４】
【特許文献１】特開２０１４−１６５１４３号公報
【特許文献２】特開２０１４−０７８４２６号公報
【発明の概要】
【発明が解決しようとする課題】
【０００５】
特許文献１に記載の照明器具の光源ユニットは、枠部が、光源取付部の周部を覆う意匠機能も有している。しかし、光源取付部は反射部を備えているとともに、枠部自体も電源ユニットを備えており、枠部が大きく形成され、意匠性の点で課題があった。
【０００６】
また、拡散パネルは枠部と反射部の端部との間に挟持されており、拡散パネルが押圧され破損する場合も有り得る。また、熱膨張率の違いによる不具合、例えば反り等の変形、きしみ音などの異音が発生する可能性もある。
【０００７】
また、反射部により前方方向への出射効率は向上しているが、反射部および枠部により、枠部側方方向へは照射されない。その為、照明器具の側方周部および被取付部は暗くなってしまうと考えられる。
【０００８】
また従来のスクエア型の光源ユニットは、カバー部が取付部に取り付けずらいという課題があった。
【０００９】
また、特許文献２に記載の照明器具は、光源ユニットの一側辺側が引っ掛けられた後に、対向する側辺がバネ部材により引っ張られ取り付けられている。その為、バネ部材の張力により、いきおいよく引っ張られると延出部が開口端縁と干渉して破損することが考えられる。また、この光源ユニットを埋込型の器具本体に用いた際に、光源ユニットの脱着がしにくくなることが考えられる。
【００１０】
また、光源ユニットを共通として、配光特性あるいは意匠の異なる照明器具を容易に提供することが望まれる。
【００１１】
この発明は、配光特性あるいは意匠の異なる照明器具を容易に提供する構成の提供を目的とする。
【課題を解決するための手段】
【００１２】
この発明の照明器具は、
被取付部に取り付けられ、開口が形成されている器具本体部と、
前記開口を塞ぐように前記器具本体部に取り付けられる光源ユニットと、
を備え、
前記光源ユニットは、
前記器具本体部に取り付けられた状態で前記被取付部に向かって立ち上がっているカバー側面部を有し、
前記器具本体部は、前記光源ユニットの前記被取付部の側の部分が当接する受部と、前記被取付部の側の部分と前記カバー側面部との間に空間を隔てて位置する側面部とを有する。
【発明の効果】
【００１３】
この発明の照明器具は、光源ユニットが、器具本体部に取り付けられた状態で被取付部に向かって立ち上がっているカバー側面部を有し、前記器具本体部が、前記光源ユニットの前記被取付部の側の部分が当接する受部と、前記被取付部の側の部分と前記カバー側面部との間に空間を隔てて位置する側面部とを有するので、前記空間を光源ユニットを外す際の操作空間として利用でき、光源ユニットを外すときに確実に光源ユニットの把持ができる。
【図面の簡単な説明】
【００１４】
【図１】実施の形態１の図で、照明器具１の斜視図。
【図２】実施の形態１の図で、照明器具１の分解斜視図。
【図３】実施の形態１の図で、光源ユニット１０００の側面図。
【図４】実施の形態１の図で、（ａ）は光源ユニット１０００の断面図であり、（ｂ）は組み立て完了後の光源ユニット１０００を模式的に示す図。
【図５】実施の形態１の図で、光源ユニット１０００を示す分解斜視図。
【図６】実施の形態１の図で、光源ユニット１０００の分解詳細図。
【図７】実施の形態１の図で、光源ユニット１０００の組立工程図。
【図８】実施の形態１の図で、取付バネ２１０Ｍの斜視図。
【図９】実施の形態１の図で、バネ受部２３０Ｌの斜視図。
【図１０】実施の形態１の図で、爪部２４０Ｌを示す斜視図。
【図１１】実施の形態１の図で、引掛受部２２０Ｍの斜視図。
【図１２】実施の形態１の図で、器具本体部１００への光源ユニット１０００の取付工程図。
【図１３】実施の形態２の図で、光源ユニット２０００の側面図。
【図１４】実施の形態２の図で、光源ユニット２０００の断面図。
【図１５】実施の形態２の図で、カバー部２１００の変形例を示す参考図。
【図１６】実施の形態２の図で、カバー部２１００の変形例を示す参考図。
【図１７】実施の形態３の図で、光源ユニット３０００の側面図。
【図１８】実施の形態３の図で、光源ユニット３０００の断面図。
【図１９】実施の形態４の図で、光源ユニット４０００の分解斜視図。
【図２０】実施の形態４の図で、光源ユニット４０００の側面図。
【図２１】実施の形態４の図で、光源ユニット４０００の断面図。
【図２２】実施の形態４の図で、固定具４３００等の斜視図。
【図２３】実施の形態４の図で、固定具４３００等の配置を示す平面図。
【図２４】実施の形態５の図で、光源ユニット５０００の斜視図。
【図２５】実施の形態５の図で、光源ユニット５０００の分解斜視図。
【図２６】実施の形態５の図で、光源ユニット５０００の断面図。
【図２７】実施の形態６の図で、照明器具６００１の斜視図。
【図２８】実施の形態６の図で、器具本体部６１００の断面図。
【図２９】実施の形態６の図で、照明器具６００１の断面図。
【図３０】実施の形態６の図で、照明器具６００１の配光を示す図。
【図３１】実施の形態６の図で、照明器具６００１の変形例である照明器具６００１−１を示す図。
【図３２】実施の形態６の図で、照明器具６００１の変形例である照明器具６００１−２を示す図。
【図３３】実施の形態６の図で、照明器具６００１の変形例である照明器具６００１−３を示す図。
【図３４】実施の形態７の図で、器具本体部７０００を、第一の本体部７１００と第二の本体部７２００に分解した分解断面図。
【図３５】実施の形態７の図で、側辺部７２１０の変形例を示した参考図である。
【図３６】実施の形態７の図で、器具本体部の組立方法の変形例を示す図。
【発明を実施するための形態】
【００１５】
以下の各実施の形態で述べるカバー固定孔１３２２、２１２１、４２２２、カバー固定溝２１２１−１、５２２１は、いずれも固定係止部９１００である。
以下の実施の形態で述べる取付正面部１２１０、取付側面部４１２０、カバー受部５１２０は、いずれも化粧部９２００である。
【００１６】
実施の形態１．
照明器具１は、器具本体部１００と、固定機構２００により器具本体部１００に着脱自在に取り付けられる光源ユニット１０００とを備えている。
【００１７】
＜＊＊＊構成の説明＊＊＊＞
（器具本体部１００）
器具本体部１００は、ボルトなどの固定部材により被取付部（天井など）に取り付けられるものであり、正方形状の本体底面部１１０と、この本体底面部１１０の四辺から折り曲げられ形成される４つの側面部１２０と、本体底面部１１０に取り付けられ、外部から引き込まれる電源線が取り付けられる電源端子台１３０と、を備えている。
【００１８】
（本体底面部１１０）
また、本体底面部１１０には、光源ユニット１０００を固定（保持）する為の取付バネ２１０Ｍ（図８）、引掛受部２２０Ｍ（図１１）が取り付けられている。
【００１９】
（側面部１２０）
図２に示すように、４つの側面部１２０は、略台形状であり本体底面部１１０周部から広がるように斜め方向に立ち上がる４つの傾斜部１２１と、各傾斜部１２１の先端から本体底面部１１０と略平行に外方向へ形成された光源受部１２２とが形成されている。
一つの傾斜部１２１は図２にａｂｃｄとして示す部分であり、光源受部１２２はｄｃｅｆとして示す部分である。
【００２０】
図８に示すように、取付バネ２１０Ｍは、本体底面部１１０に取り付けられる取付部２１１Ｍ、円弧形状部２１２Ｍ、先端部２１３Ｍを有する。取付バネ２１０Ｍは、本体底面部１１０に２つ並列するように取り付けられている。また側面部１２０のいずれか１つ側に寄って配設されている。
【００２１】
図１１は引掛受部２２０Ｍの斜視図であるが図１１のＹ方向は図１２の（ａ）に示すＹ方向である。図１１に示すように、引掛受部２２０は、開口２２１Ｍ、開口縁部２２１Ｍ−１Ｍを有する。引掛受部２２０は、取付バネ２１０が配設された側面部１２０側と対向する他方の側面部１２０側に寄って本体底面部１１０に２つ並列するよう配設されている。
【００２２】
（光源ユニット１０００）
光源ユニット１０００は、
（１）発光モジュール１１００と、
（２）発光モジュール１１００が取り付けられたモジュール取付部１２００と、
（３）発光モジュール１１００を覆うようにモジュール取付部１２００に固定されるカバー部１３００と、
（４）カバー部１３００をモジュール取付部１２００に固定する固定具１４００と、
（５）発光モジュール１１００を点灯させる点灯装置１５００と、
（６）取付バネが挿入されるバネ受部２３０Ｌと、
（７）引掛受部に引っ掛けられる爪部と
を備えている。
【００２３】
（発光モジュール１１００）
図３、図５に示すように、発光モジュール１１００は、複数の発光素子１１０１、略正方形状の矩形形状であり複数の発光素子１１０１が実装された基板１１０２を備える。また、発光モジュール１１００はモジュール取付部１２００に固定されているが、ネジで固定してもよいし接着剤で固定しても良い。なお、図５では発光モジュール１１００を４つ記載しているが、１つの発光モジュール１１００で４つ分を形成してもよいし、また４つより多く細かく分割しても良い。また、長方形状に形成されたものを並列しても良い。発光素子はこの実施の形態及び以降の実施の形態ではＬＥＤである。
【００２４】
（モジュール取付部１２００）
モジュール取付部１２００は、
（１）略四角形状（矩形形状）であり発光モジュール１１００が取り付けられる取付正面部１２１０と、取付正面部１２１０の側辺１２１０−１である４辺から発光モジュール１１００が取り付けられた側へ立ち上がる（突設する）取付側面部１２２０とが形成されている。
（２）また、図５に示すように、取付正面部１２１０のそれぞれの取付側面部１２２０側には後述する固定具１４００が挿し込まれる挿通孔１２１１が対として形成されている。（３）このように、モジュール取付部１２００は、取付正面部１２１０を有する。取付正面部１２１０は板状であり、一方の面１２１０ａと一方の面１２１０ａの反対側の他方の面１２１０ｂとのうち一方の面１２１０ａに発光素子１１０１を有する発光モジュール１１００が配設される。
【００２５】
（カバー部１３００）
カバー部１３００は、一面が開口した略箱形状をしており、開口と対向する面が発光モジュール１１００と対向するカバー正面部１３１０であり、略箱形状の側面がカバー側面部１３２０になる。カバー側面部１３２０は開口側端部において、略中央付近に凸部１３２１が形成されており、また後述する固定具１４００が挿し込まれるカバー固定孔１３２２が形成されている。なお、カバー部１３００は４つのカバー側面部１３２０の外側の寸法は、モジュール取付部１２００の４つの取付側面部１２２０の内側の寸法より小さくなるよう形成されている。
【００２６】
このようにカバー部１３００は、板状のカバー正面部１３１０とカバー正面部１３１０の周縁から立ち上がる壁状のカバー側面部１３２０とを有し、カバー部１３００は、カバー側面部１３２０の立ち上あがる立上方向１３２０ａの端部によって開口（ＡＢＣＤ）（図２）が形成される箱形状であり、発光モジュール１１００の発した光を透過する。図２のようにカバー部１３００は、開口（ＡＢＣＤ）が発光モジュール１１００を覆うようにモジュール取付部１２００に配設される。またカバー部１３００は、箱形状の内部となるカバー側面部１３２０の内面１３２０ｂに、箱形状の内部から外部に向かう方向でありカバー正面部に沿う方向である挿込方向１３１０ａにカバー固定爪部１４２０が挿し込まれてカバー固定爪部１４２０を受ける固定係止部９１００であるカバー固定孔１３２２を有する。
【００２７】
（固定具１４００）
モジュール取付部１２００に固定される。固定具１４００（図６）は、モジュール取付部１２００にカバー部１３００を配設するためのカバー固定爪部１４２０を有する。固定具１４００は、モジュール取付部１２００に配設されカバー部１３００を保持する。この実施の形態では固定具１４００は金具（固定金具）であるが、金属でなくても、樹脂やカーボン繊維材料でもよい。固定具１４００は、略四角形状でありモジュール取付部１２００の取付正面部１２１０に当接し固定される固定正面部１４１０、固定正面部１４１０の側辺より間隔をあけて対になるよう配設されたＬ形状のカバー固定爪部１４２０を備える。図６に示すように、カバー固定爪部１４２０は挿通孔１２１１を介してカバー部１３００のカバー固定孔１３２２に係止し、カバー部１３００を固定する。
【００２８】
（点灯装置１５００）
点灯装置１５００は、照明器具１の外部から電力供給を受け、発光モジュール１１００に電力を供給し点灯させる。点灯装置１５００は、取付正面部１２１０の発光モジュール１１００が取り付けられた面の裏側となる反対面に配設される。
【００２９】
（バネ受部２３０Ｌ）
図９に示すように、バネ受部２３０Ｌは、取付バネ２１０Ｍの円弧形状部２１２Ｍが挿し込まれる円弧形状部２１２が摺動する。バネ受部２３０Ｌは、取付バネに対応するよう取付正面部１２１０に２つ並列し配設されている。
【００３０】
（爪部２４０Ｌ）
爪部２４０Ｌは、図１０に示すように、爪先端部２４１Ｌ、爪軸部２４２Ｌを備える。爪部２４０Ｌは、爪先端部２４１Ｌが引掛受部２２０Ｍ（図１１）の開口縁部２２１Ｍ−１に引っ掛けられて取付正面部１２１０に固定される。爪部２４０Ｌは、引掛受部２２０Ｍに対応するように取付正面部１２１０に２つ並列し配設されている。
【００３１】
（光源ユニット１０００の組み立て）
次に、図７を用いて光源ユニット１０００の組み立て方法に関して説明を行う。図７は図６のＸ方向を法線とする断面で、図６の左側（矢印Ｘに近い方）のカバー固定孔１３２２を通るように切断した場合の断面に相当する。
（１）はじめに、カバー部１３００の開口（図２のＡＢＣＤ）を覆うように、発光モジュール１１００がとりつけられたモジュール取付部１２００を配設する。このとき、発光モジュール１１００はカバー正面部１３１０と対面するとともに、取付側面部１２２０がカバー側面部１３２０の外側になるように、モジュール取付部１２００は配設される（図７の（ａ））。
（２）次に、固定具１４００をモジュール取付部１２００の挿通孔１２１１を介してカバー部１３００のカバー固定孔１３２２に挿し込む。
図７の（ａ）の状態より、固定具１４００をカバー固定爪部１４２０の先端から挿通孔１２１１に挿し込む。このとき、固定具１４００を回転（図７の（ｃ）に示す回転方向；Ｖ１，Ｖ２は固定正面部１４１０の向き）させながら挿し込んでいくことで、カバー固定爪部１４２０の先端がカバー固定孔１３２２に挿し込まれるとともに、固定正面部１４１０が取付正面部１２１０に当接する（図７の（ｃ））。この固定正面部１４１０が取付正面部１２１０に当接したのち、ビス１０などにより、固定具１４００をモジュール取付部１２００に固定する。
（３）以上の工程を固定具１４００が設置される所定の箇所（図５では４箇所）に実施し、カバー部１３００はモジュール取付部１２００に固定される。以上のように、光源ユニット１０００では、カバー部１３００の開口側から発光モジュール１１００が取り付けられたモジュール取付部１２００を配設し、固定具１４００を挿通孔１２１１を介してカバー部１３００のカバー固定孔１３２２に挿込むことで組み立てる。よって、一方の方向（図５においてモジュール取付部１２００からカバー部１３００に向かう方向）から作業ができ、容易に組立ができる。また、図４の（ａ）、図７の（ｃ）に示すように、光源ユニット１０００は、取付側面部１２２０がカバー固定爪部１４２０の外側に配置される。よって、取付側面部が意匠部（化粧板の役割）となり、取付機構（カバー固定爪部１４２０、凸部１３２１及びカバー固定孔１３２２等）が、意匠面となる取付側面部１２２０にかくれて表われないため、意匠性が向上する。
（４）以上、図６、図７に示すように、固定具１４００は、カバー部１３００を保持するためのカバー固定爪部１４２０を有する。モジュール取付部１２００は、カバー固定爪部１４２０が通り抜け可能な挿通孔１２１１を有する。カバー部１３００は、箱形状の内部から外部に向かう方向でありカバー正面部１３１０に沿う方向である挿込方向１３１０ａ（図７の（ｃ））にカバー固定爪部１４２０が挿し込まれてカバー固定爪部１４２０を受ける固定係止部９１００であるカバー固定孔１３２２を有する。固定具１４００は、カバー固定爪部１４２０の一部がカバー固定孔１３２２に挿し込まれ、一部以外のカバー固定孔１３２２に挿し込まれていない残りのうちの一部が挿通孔１２１１を通り抜ける状態でモジュール取付部１２００に固定される（図７の（ｃ））。
【００３２】
図４を参照してモジュール取付部１２００とカバー部１３００との寸法関係を説明する。図４の（ａ）は光源ユニット１０００の断面図であり、図４の（ｂ）は組み立て完了後の光源ユニット１０００を模式的に示す図である。モジュール取付部１２００とカバー側面部１３２０との位置関係は図４に示すようになる。つまり、取付正面部１２１０と、カバー側面部１３２０の凸部１３２１との距離は隙間Ａ（寸法Ａ）であり、取付正面部１２１０とカバー側面部１３２０の凸部１３２１以外の端部との距離は隙間Ｂ（寸法Ｂ）となる。また、取付側面部１２２０はカバー固定爪部１４２０を覆うようにカバー側面部１３２０を覆っている。この隙間Ａは、例えば１ｍｍ程度であり、隙間Ａを設けることでカバー部１３００が熱により膨張し取付正面部１２１０と当接し擦れるのを抑制する寸法である。また、隙間Ｂは隙間Ａより大きく形成されている。隙間Ｂは、カバー部１３００が図４の（ｂ）の点線Ａに示すような成形公差が発生したときに、カバー部１３００のカバー側面部１３２０の端部が取付正面部１２１０と干渉するのを防ぐものである。隙間Ｂは、成形によりカバー側面部１３２０の端部が取付正面部１２１０と干渉しカバー固定爪部１４２０に負荷がかかるのを抑制する。また、取付側面部１２２０はカバー側面部１３２０を覆うことで、図４の（ｂ）の点線Ｂに示すようなカバー部１３００の成形公差が発生したときに、カバー側面部１３２０の端部が側面に現れるのを抑制し、意匠性を保つことができる。
【００３３】
以上のように、固定具１４００は、モジュール取付部１２００に固定されカバー部１３００のカバー側面部１３２０の端部と取付正面部１２１０の一方の面１２１０ａとの間に、立上方向１３２０ａの隙間を有してカバー部１３００を保持する。また、図４に示したように、カバー側面部１３２０は、開口（ＡＢＣＤ）（図２）をなす端部から、立上方向１３２０ａに凸となるように形成されるとともに、固定係止部９１００として貫通孔であるカバー固定孔１３２２が形成された凸部１３２１を有する。取付正面部１２１０は、一方の面１２１０ａと凸部１３２１との間に、立上方向１３２０ａの隙間Ａが設けられている。
【００３４】
（光源ユニット１０００の器具本体部１００への取り付け）
次に、図１２を用いて光源ユニット１０００の器具本体部１００への取付けに関して説明を行う。図１２は、図１１の開口縁部２２１Ｍ−１の中央で切断した断面に相当する。（１）はじめに、光源ユニット１０００は爪部の爪先端部２４１Ｌを器具本体部１００に配設された引掛受部２２０Ｍの開口２２１Ｍに挿し込みし、開口縁部２２１Ｍ−１に引っ掛ける。
（２）次に、器具本体部１００に配設された取付バネを図１２の（ｂ）のように弾性変形させ、取付バネの先端部２１３Ｍをバネ受部２３０Ｌの開口２３１Ｌの開口縁部２３１Ｌ−１に引っ掛ける。
（３）次に、図１２の（ｂ）の状態より、光源ユニット１０００を器具本体部１００側に押し込むことで、取付バネの円弧形状部２１２Ｍがバネ受部２３０Ｌの開口縁部２３１Ｌ−１を摺動する（図１２の（ｃ））。
このとき、点灯装置１５００が器具本体部１００の内側に収容されるとともに、光源ユニット１０００の取付正面部１２１０の発光モジュール１１００が配設された面の反対面が、器具本体部１００の光源受部１２２と当接する。これによって光源ユニット１０００は器具本体部１００に固定される（図１２の（ｄ））。
【００３５】
＜＊＊＊効果の説明＊＊＊＞
（１）本実施の形態は、一面が開口した略箱形状のカバー部１３００に、発光モジュール１１００と点灯装置１５００とを備えたモジュール取付部１２００が、カバー部１３００の開口（図２のＡＢＣＤ）を塞ぐように配設された光源ユニット１０００である。
光源ユニット１０００は、固定具１４００がモジュール取付部１２００の挿通孔１２１１を介してカバー部１３００のカバー固定孔１３２２に挿込まれて組み立てられるので、一方の方向から作業ができるため、容易に組立ができる。
（２）また、光源ユニット１０００は、カバー部１３００が隙間Ｂを設けてモジュール取付部１２００に固定される為、カバー部１３００の成形を吸収できる。
（３）また、光源ユニット１０００は固定具１４００が、カバー部１３００をモジュール取付部１２００に接触しないよう隙間Ａを設けてモジュール取付部１２００に固定することで、カバー部１３００の熱膨張、熱収縮によるきしみ音の発生を抑制できる。
（４）また、光源ユニット１０００は、固定具１４００によりカバー部１３００がモジュール取付部１２００に固定されるので、カバー部１３００の側方が覆われることがない。よって、側方から発光モジュール１１００の光を出射することができる。
【００３６】
なお、本実施の形態では、固定機構２００に関して取付バネ２１０Ｍと、引掛受部２２０Ｍと、バネ受部２３０Ｌと、爪部２４０Ｌの組み合わせに関して説明しているが、取付バネとバネ受部２３０Ｌの組み合わせだけによるものでも良い。また、器具本体部１００にバネ受部２３０Ｌと爪部が配設され、光源ユニット１０００に取付バネと引掛受部が配設されるなど、どちらに配設されていても良い。
【００３７】
モジュール取付部１２００は、固定係止部９１００であるカバー固定孔１３２２の位置を、カバー側面部１３２０の外部から覆う化粧部９２００を有する。図４、図７の（ｃ）等に示すように、化粧部９２００は、取付正面部１２１０の側辺１２１０−１おいて他方の面１２１０ｂから一方の面１２１０ａに向かう方向に立ち上がる取付側面部１２２０である。取付側面部１２２０が化粧部９２００となるので、カバー固定爪部１４２０の先端がカバー側面部１３２０からの露出状態を覆うことができる。
【００３８】
実施の形態２．
図１３〜図１６を参照し、実施の形態２では、実施の形態１で説明したカバー部１３００の変形例であるカバー部２１００を備えた光源ユニット２０００に関して説明する。なお、実施の形態１と同様の構成は実施の形態１と同じ符号を付し、詳細な説明を省略し異なる構成について説明する。
【００３９】
図１３、図１４に示すように、光源ユニット２０００は、一面が開口した略箱形状をしたカバー部２１００と、発光モジュール１１００と点灯装置１５００を備え、カバー部２１００の開口を塞ぐように配設されるモジュール取付部１２００と、カバー部２１００をモジュール取付部１２００に固定する固定具１４００を備えている。
【００４０】
（外凸部）
カバー部２１００は、一面が開口した略箱形状をしており、開口の対向面はカバー正面部２１１０（図１４）であり、側面がカバー側面部２１２０（図１４）である。カバー側面部２１２０は、箱形状の外部となる外面２１２０ｃから凸形状に突き出る外凸部２１３０を有する。外凸部２１３０は、図１４に示すように、モジュール取付部１２００の取付側面部１２２０の端部を覆うよう取付側面部１２２０の端部と対向するように設けられている。外凸部２１３０は、化粧部９２００である取付側面部１２２０の、他方の面１２１０ｂから一方の面１２１０ａに向かう方向の端部を覆うので、取付側面部１２２０の端部が正面方向に意匠面に表れない。よって、意匠性が向上する。また、この外凸部２１３０は、既に表面処理された部材（カラー鋼板など）を切断・折り曲げなど加工してモジュール取付部１２００を形成したときの端部処理にとくに有効である。
【００４１】
本実施の形態では、カバー部２１００が外凸部２１３０を備えていることで、光源ユニット２０００の意匠性を向上させることができる。
【００４２】
なお、外凸部２１３０の変形例として、図１５に示すようなカバー部２１００−１でも良い。カバー部２０００−１はカバー側面部２１２０−１が外凸部の機能を有するように傾斜部を有している。また、変形例の一例として、カバー側面部２１２０−１は傾斜部を有しているが、傾斜部は曲線状に形成しても良い。
【００４３】
また、実施の形態１および実施の形態２ともに、カバー固定孔１３２２、カバー固定孔２１２１は貫通孔にしているが、図１６に示すように、外側に、カバー固定爪部の先端の化粧部９２００となるように、カバー固定孔を溝形状のカバー固定溝２１２１−１にしたカバー部２１００−２でも良い。また、カバー固定爪部１４２０の先端に位置する箇所にシボなどを設けることで、カバー固定爪部１４２０の先端がカバー側面部２１２０に透けることを抑制できる。
【００４４】
実施の形態３．
図１７、図１８を参照して実施の形態３を説明する。本実施の形態３では、実施の形態１で説明したモジュール取付部１２００の変形例であるモジュール取付部３１００と、カバー部１３００の変形例であるカバー部３２００と、を備えた光源ユニット３０００に関して説明を行う。なお、実施の形態１および実施の形態２と同様の構成は実施の形態１および実施の形態２と同じ符号を付し、詳細な説明を省略し異なる構成について説明する。
【００４５】
光源ユニット３０００は、一面が開口した略箱形状をしたカバー部３２００と、発光モジュール１１００と点灯装置１５００を備える。光源ユニット３０００は、カバー部３２００の開口を塞ぐように配設されるモジュール取付部３１００と、カバー部３２００をモジュール取付部３１００に固定する固定具１４００とを備えている。
【００４６】
モジュール取付部３１００は、略四角形をした板状をしており、一方の面に発光モジュール１１００が配設され、他方の面に点灯装置１５００が配設されている。また、固定具１４００のカバー固定爪部１４２０が挿し込まれる。挿通孔３１１０が形成されている。
【００４７】
（内凸部）
カバー部３２００は、一面が開口した略箱形状をしており、開口の対向面はカバー正面部３２１０であり、側方がカバー側面部３２２０である。また、カバー側面部３２２０は、側面の一部から図１８に示すように開口より間隔Ｃをあけて内方向へ突設した内凸部３２３０が設けられている。固定係止部９１００である内凸部３２３０は、カバー側面部３２２０の内面３２２０ｂから挿込方向３２１０ａの反対方向に凸形状に突き出るように形成されてカバー固定爪部１４２０を受ける。図１８のように、内凸部３２３０は下面でカバー固定爪部１４２０を受けている。
【００４８】
光源ユニット３０００では、発光モジュール１１００と点灯装置１５００を備えたモジュール取付部３１００を、カバー部３２００の開口を覆うように配設する。このとき、モジュール取付部３１００は、内凸部３２３０がカバー固定爪部１４２０に当接するとともに、カバー側面部３２２０の内側（間隔Ｃ）に配設される。また、固定具１４００のカバー固定爪部１４２０を挿通孔３１１０から内凸部３２３０のカバー正面部３２１０側の面と当面するまで挿し込みをおこない、カバー部３２００はモジュール取付部３１００に保持される。このとき、内凸部３２３０のカバー正面部３２１０側の面とカバー固定爪部１４２０の間に隙間Ａが形成されるが、この隙間Ａは光源ユニット３０００を器具本体部１００に固定したときに、カバー部３２００の自重により内凸部３２３０の開口側の面とモジュール取付部３１００との間に形成される。
【００４９】
本実施の形態では、内凸部３２３０がカバー部３２００の固定係止部となり固定具１４００が係止しカバー固定爪部１４２０の先端に化粧部９２００としてカバー側面部３２２０が位置するとともに、モジュール取付部３１００がカバー側面部３２２０の内側に配置されることにより、光源ユニット３０００の意匠面はカバー部３２００で覆われ意匠性を向上することができる。
【００５０】
実施の形態４．
図１９〜図２３を参照して実施の形態４を説明する。実施の形態４は、実施の形態１で説明したモジュール取付部１２００の変形例であるモジュール取付部４１００、カバー部１３００の変形例であるカバー部４２００、固定具１４００の変形例である固定具４３００を備える光源ユニット４０００を説明する。固定具４３００は金具（固定金具）を想定するが、金属でなくとも樹脂やカーボン繊維材料でもよい。なお、実施の形態１および実施の形態２、実施の形態３と同様の構成は実施の形態１および実施の形態２、実施の形態３と同じ符号を付し、詳細な説明を省略し異なる構成について説明する。
【００５１】
図１９、図２０に示すように、光源ユニット４０００は、一面が開口した略箱形状をしたカバー部４２００と、発光モジュール１１００と点灯装置１５００を備え、カバー部４２００の開口を塞ぐ（覆う）ように配設されるモジュール取付部４１００と、カバー部４２００をモジュール取付部４１００に固定させる固定具４３００、４３００−１，４３００−２とを備えている。
【００５２】
図１９に示すように、カバー部４２００は、一面が開口した略箱形状をしており、この開口と対面するカバー正面部４２１０と、略箱形状の側方になるカバー側面部４２２０が配設されている。カバー側面部４２２０の端部には図１９に示すような挿込凸部４２２１が配設されており、挿込凸部４２２１には後述する固定具４３００が挿し込まれるカバー固定孔４２２２が形成されている。
【００５３】
図１９に示すように、モジュール取付部４１００は、
（１）略四角形状をしており一方の面に発光モジュール１１００が取り付けられる取付正面部４１１０と、
（２）この取付側面部４１２０の周部より発光モジュール１１００が取り付けられる面と反対方向に突設した取付側面部４１２０と、
（３）取付側面部４１２０に沿って取付正面部４１１０に形成される挿通孔４１３０と
が形成されている。
【００５４】
（固定具４３００）
図２２に示すように、固定具には固定具４３００、４３００−１，４３００−２の種類がある。図２３は固定具４３００等の配置を説明する概略的な平面図（図１９のＸ矢視）である。図２３は図１９のモジュール取付部４１００をＸ方向から見た場合を示している。
（１）固定具４３００は、図２２の（ａ）に示すように、板状に形成され取付正面部４１１０と当接し固定される固定本体部４３１０と、カバー部４２００のカバー固定孔４２２２に挿し込まれるカバー固定爪部４３２０とを備える。
（２）固定具４３００−１は、図２２の（ｂ）に示すように、器具本体部１００に引掛ける為の爪を有している。
（３）固定具４３００−２は、図２２の（ｃ）に示すように、取付側面部４１２０の略中央に形成された挿込凸部４２２１のカバー固定孔４２２２に挿し込まれる。
【００５５】
図２１を参照して光源ユニット４０００の組み立て方法を説明する。光源ユニット４０００の組み立て方法は、カバー部４２００の挿込凸部４２２１をモジュール取付部４１００の挿通孔４１３０に、カバー固定孔４２２２が取付正面部４１１０より突出するまで挿し込みをする。次に、取付正面部４１１０から突出したカバー固定孔４２２２に固定具４３００のカバー固定爪部４３２０を挿し込み、固定具４３００を取付正面部４１１０にビス１０等の固定部材で固定する。この固定によりカバー部４２００はモジュール取付部４１００に固定される。なお、固定具４３００等の角部が，モジュール取付部４１００の角に当接して、横方向への移動を抑制する。また、カバー側面部４２２０が化粧部９２００として、カバー固定爪部４３２０の外側側方に位置する。
【００５６】
以上のように、カバー側面部４２２０は、開口（ＡＢＣＤ）をなす端部に、カバー側面部４２２０の立ち上がる立上方向４２２０ａに凸となるように形成されるとともに、固定係止部９１００として貫通孔であるカバー固定孔４２２２が形成された挿込凸部４２２１を有する。取付正面部４１１０は、挿込凸部４２２１が、一方の面４１１０ａから他方の面４１１０ｂに向かう方向に挿し込まれてカバー固定孔４２２２が通り抜ける挿通孔４１３０が形成されている。
【００５７】
またモジュール取付部４１００は、固定係止部９１００であるカバー固定孔４２２２の位置を、カバー側面部４２２０の外部から覆う化粧部９２００である取付側面部４１２０を有する。化粧部９２００である取付側面部４１２０は、取付正面部４１１０の側辺４１１０−１において一方の面４１１０ａから他方の面４１１０ｂに向かう方向に立ち上がる。
【００５８】
本実施の形態では、挿込凸部４２２１が取付正面部４１１０の発光モジュール１１００が配設された面の反対面に突出することで、固定具４３００が板状の簡単な形状にすることができるとともに、カバー固定孔４２２２に挿し込みが容易にでき、組み立てを容易にしている。
【００５９】
実施の形態５．
図２４〜図２６を参照して実施の形態５を説明する。本実施の形態５では、実施の形態１から実施の形態４で説明したモジュール取付部の変形例である光源ユニット５０００を説明する。光源ユニット５０００は、モジュール取付部５１００と、実施の形態１から実施の形態４で説明したカバー部の変形例であるカバー部５２００とを備える。なお、実施の形態１から実施の形態４と同様の構成は実施の形態１から実施の形態４と同じ符号を付し、詳細な説明を省略し異なる構成について説明する。
【００６０】
図２４、図２５に示すように、光源ユニット５０００は、一面が開口した略箱形状のカバー部５２００、発光モジュール１１００と点灯装置１５００とを有しカバー部５２００の開口を塞ぐように配設されるモジュール取付部５１００、カバー部５２００をモジュール取付部５１００に固定する固定具５３００を備える。固定具５３００は金具（固定金具）を想定するが、金属でなくとも樹脂やカーボン繊維材料でもよい。
【００６１】
図２５に示すように、モジュール取付部５１００は、取付正面部５１１０と、カバー受部５１２０（図２６）を有する。取付正面部５１１０（図２５）は略四角形をした板状をしており、一方の面に発光モジュール１１００が配設され、他方の面に点灯装置１５００が配設される。カバー受部５１２０（図２６）は、取付正面部５１１０の側辺に枠状に配設され、発光モジュール１１００側に開口をした断面がＵ字形状をなす。また、Ｕ字形状における凹部をなすカバー受部５１２０の内側の側面には、固定具５３００のカバー固定爪部５３２０が挿し込まれる挿通孔５１３０が形成されている。
【００６２】
図２６に示すように、モジュール取付部５１００は、カバー受部５１２０を有する。カバー受部５１２０は、取付正面部５１１０の側辺５１１０−１において一方の面５１１０ａから他方の面５１１０ｂに向かう方向に立ち上がるとともに反転して他方の面５１１０ｂから一方の面５１１０ａの方向に向かうＵ字形状をなし、Ｕ字形状の凹部５１２１でカバー側面部５２２０の立ち上がりの端部を受ける。カバー受部５１２０は、側辺５１１０−１から立ち上がる箇所に挿通孔５１３０が形成されている。
【００６３】
図２６に示すように、カバー受部５１２０では、Ｕ字形状のうち反転して一方の面５１１０ａの方向に向かう部分が、化粧部９２００となる。
【００６４】
カバー部５２００は、一面が開口した略箱形状をしており、開口の対向面はカバー正面部５２１０であり、側方がカバー側面部５２２０である。カバー側面部５２２０は、内側側面の開口よりに図２６に示すように溝形状をしたカバー固定溝５２２１が設けられており、外側の側面には外凸部５２３０（外凸部２１３０と同等）が形成されている。
【００６５】
図２５の（ｃ）に示す固定具５３００は、カバー正面部５２１０に固定される固定正面部５３１０と、カバー固定溝５２２１に係止されるカバー固定爪部５３２０とを有している。なお、カバー固定爪部５３２０は固定正面部５３１０よりやや斜め方向に形成されている。
【００６６】
図２６に示すように、光源ユニット５０００は、モジュール取付部５１００のカバー受部５１２０をカバー部５２００の端部に嵌め込みするとともに、カバー固定爪部５３２０をカバー部５２００のカバー固定溝５２２１に挿通孔を介して係止し、固定具５３００を取付正面部５１１０に固定する。このように固定することで、カバー部５２００はモジュール取付部５１００に保持される。また、カバー受部５１２０の外側側面が化粧部９２００となり、この化粧部９２００がカバー固定爪部５３２０の先端およびカバー固定溝５２２１を覆うことで、カバー固定爪部５３２０がカバー部５２００に透けて見えることがなく、意匠性を良くしている。
【００６７】
また、固定具５３００は、カバー部５２００の開口側端部と取付正面部５１１０の間に隙間Ａができるように保持している。この為、きしみ音の発生を抑制しているとともに、カバー固定爪部５３２０は固定正面部５３１０に対して斜めに形成されていることで、カバー部５２００の保持をより強固にしている。
【００６８】
また、モジュール取付部５１００は取付正面部５１１０カバー部５２００内側に配設されることで、発光モジュール１１００が取り付けられた面と反対面側に部品配設空間が形成され、器具本体の厚さを薄くすることができる。
【００６９】
なお、実施の形態１から実施の形態５に関して器具本体部１００に関して説明を行っている。この器具本体部１００は、光源ユニット側開口に対して本体底面部１１０が小さくなるように側面部１２０が傾斜して形成されており、光源ユニット側開口および光源受部１２２はモジュール正面部により覆われている。よって、器具本体部１００は照射方向から見た際に、光源ユニットの内側に隠れ、意匠性を向上させている。なお、光源ユニットが取り付けられる本体部は、器具本体部１００のようなシームレス型だけでなく、埋込型や化粧枠型などのものであっても良い。
【００７０】
以上に説明した実施の形態１〜５によれば、意匠性に優れ、拡散パネルを安全に保持し、広角に配光できる（照明器具の側方にも出射できる）照明器具を提供することができる。
【００７１】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【００７２】
実施の形態６．
図２７〜図３３を参照して実施の形態６を説明する。本実施の形態６では、実施の形態１から実施の形態５で説明した器具本体部１００の変形例である器具本体部６１００と、器具本体部６１００を備えた照明器具６００１に関して説明を行う。なお、実施の形態１から実施の形態５と同様の構成は実施の形態１から実施の形態５と同じ符号を付し、詳細な説明を省略し異なる構成について説明する。なお、照明器具６００１の説明に光源ユニット５０００を用いて説明を行うが、光源ユニットは実施の形態１から実施の形態４で説明した光源ユニットでも良い。
【００７３】
（器具本体部６１００）
はじめに、図２７、図２８、図２９を用いて、器具本体部６１００の形状に関して説明する。図２７に示すように、照明器具６００１は、器具本体部６１００と、光源ユニット５０００を備えている。器具本体部６１００は、ボルトなどの固定部材により天井などの被取付部９０１０に取り付けられる。また器具本体部６１００は、電源端子台１３０（図２）、取付バネ２１０Ｍ（図２）が配設される第一の本体部６１１０と、光源ユニット５０００の側方を覆う第二の本体部６１２０を備えている。
【００７４】
（第一の本体部６１１０）
第一の本体部６１１０は、ボルトなどの固定部材により被取付部９０１０に取り付けられる正方形状の本体正面部６１１１と、本体正面部６１１１の四辺から立ち上がる第一側面部６１１２を備えている。第一の本体部６１１０は、本体正面部６１１１と対向する面が開口した箱形状をしている。また、本体正面部６１１１には外部から引き込まれる電源線が取り付けられる電源端子台１３０と、光源ユニット５０００を固定、保持する為の取付バネ２１０Ｍ、引掛受部２２０Ｍ（図８、図１１）が取り付けられている。
【００７５】
（第二の本体部６１２０）
第二の本体部６１２０は、第一側面部６１１２の端部より本体正面部６１１１と略平行に外側へ形成された光源受部６１２１と、光源受部６１２１から略垂直に形成され光源ユニット５０００のカバー側面部５２２０の側方に位置する第二側面部６１２２と、第二側面部６１２２の端部より外側へ形成された本体鍔部６１２３を有している。
【００７６】
（操作空間６０００Ｓ）
次に、図２８、図２９を用いて照明器具６００１に関して説明を行う。図２９は、図２８の器具本体部６１００に光源ユニット５０００が取り付けられた状態である。
【００７７】
図２９の光源ユニットは光源ユニット５０００の場合である。光源ユニット５０００は、光を透過する透光底部９３０１であるカバー正面部５２１０と、光を透過し透光底部９３０１の周縁から立ち上がる壁状の透光側面部９３０２であるカバー側面部５２２０と、透光側面部９３０２の立ち上あがる立上方向の端部によって形成される開口９３０５を塞ぐ天板９３０３であるモジュール取付部５１００とを有する箱形状である。光源ユニット５０００は、箱形状の内部に、発光素子１１０１が透光底部９３０１であるカバー正面部５２１０に対向するように配置されている。器具本体部６１００は、天板受部９４０１である光源受部６１２１と、天板底部方向９３０４に立ち上がる底部方向側面部９４０２である第二側面部６１２２とを有する天板受部９４０１は、光源ユニット５０００の天板９３０３を受ける板状での部材である。底部方向側面部９４０２は、天板受部９４０１の周縁９４０６から、光源ユニット５０００の透光側面部９３０２に対向し、かつ、透光側面部９３０２との間に操作空間６０００Ｓを保ちながら、天板９３０３から透光底部９３０１に向かう天板底部方向９３０４に立ち上がる。
【００７８】
照明器具６００１は、図２９に示すように、カバー受部５１２０が光源受部６１２１に当接する。また、モジュール取付部５１００の発光モジュール１１００の反対面に取り付けられた点灯装置１５００（図２４）は、第一の本体部６１１０に収納される。また、このとき、光源ユニット５０００の側方（カバー受部５１２０の外側面、カバー側面部５２２０）と第二の本体部６１２０の第二側面部６１２２の間には、光源ユニット５０００を着脱す為の操作空間６０００Ｓが形成されている。操作空間６０００Ｓは、光源ユニット５０００を着脱する為に、作業者が光源ユニット５０００をつかむ為のスペースである。また操作空間６０００Ｓは、光源ユニット５０００の着脱の際に必要となるスペースでもあり、光源ユニット５０００を回動して着脱する空間、手を挿し込む空間、光源ユニット５０００をずらす空間などの役割を有する。操作空間６０００Ｓによって、光源ユニット５０００は容易に器具本体部６１００に着脱することができる。
【００７９】
次に、図３０を用いて照明器具６００１の配光に関して説明をする。図３０は、照明器具６００１から照射される光の光路の一例をしめした配光図である。図３０では、底部方向側面部９４０２である第二側面部６１２２は、天板底部方向９３０４の端部９４０８が、透光底部９３０１よりも天板９３０３に近い位置に位置する。
【００８０】
図３０において、照明器具６００１のモジュール取付部５１００に取り付けられた発光モジュール１１００から照射される光は、カバー正面部５２１０にて透過・拡散され照射される光である光路Ａの光と、カバー側面部５２２０にて透過・拡散され照射される光である光路Ｂの光がある。また、この光路Ｂの光は、カバー側面部５２２０からそのまますすみ、上方向、横方向、下方向などにすすむ光路Ｂ１の光と、第二側面部６１２２に照射され第二側面部６１２２で反射・拡散される光路Ｂ２の光がある。この光路Ｂ１の光により、被取付部９０１０も照射されるとともに、光路Ｂ２の光により照明器具６００１全体の光力を向上することができる。
【００８１】
次に、照明器具６００１の変形例を図３１、図３２、図３３を用いて説明を行う。
【００８２】
まず図３１を用いて照明器具６００１−１を説明する。底部方向側面部９４０２である第二側面部６１２２−１は、天板底部方向９３０４の端部９４０８が、透光底部９３０１の天板底部方向９３０４の外面と同じ位置に位置する。
【００８３】
図３１に示す照明器具６００１−１は、器具本体部６１００−１と光源ユニット５０００を備える。
図３１の（ｂ）に示すように、器具本体部６１００−１の第二側面部６１２２−１が、光源ユニット５０００の側方と同等の大きさ、つまり天板底部方向９３０４で同等の長さで形成されている。そのため、カバー正面部５２１０と第二側面部６１２２−１の端部（または本体鍔部６１２３）は、天板底部方向９３０４で、同じ位置になる。よって、照明器具６００１−１の光路Ｂの光は、照明器具６００１の光路Ｂの光よりも、多くが、第二側面部６１２２−１に照射し、反射される。
【００８４】
図３２に示す照明器具６００１−２は、光源ユニット５０００が第二の本体部６１２０−２の内側に配置される。照明器具６００１−２の第二側面部６１２２−２は、光源ユニット５０００のカバー側面部５２２０よりも、天板底部方向９３０４で、長く形成されているとともに、第二側面部６１２２−２の内側面には、凹凸が形成されている。つまり底部方向側面部９４０２である第二側面部６１２２−２は、天板底部方向９３０４の端部９４０８が、透光底部９３０１の天板底部方向９３０４の外面よりも遠い位置に位置し、照明器具６００１−２では、光源ユニット５０００が器具本体部６１００−２の開口より奥まって配置される意匠になる。また、底部方向側面部９４０２は、光源ユニット５０００の透光側面部９３０２と対向する内面に凹凸が形成され、光源ユニット５０００から照射される光がより拡散される。
【００８５】
図３３に示す照明器具６００１−３は、器具本体部６００１−３の第二側面部６１２２−３が、光源ユニットのカバー受部５１２０の側方を覆うように形成されている。また、第二側面部６１２２−３の天板底部方向９３０４の長さは、カバー受部５１２０の天板底部方向９３０４の長さよりも同じか多少長く形成されている。このため、カバー部５２００の大部分は、第二側面部６１２２−３の形成する開口から突設するような配置になっている。また第二側面部６１２２−３の端部から被取付部９０１０側に傾斜した、反射部の機能を有した本体鍔部６１２３−３が形成されている。よって光源ユニット５０００は広角に照射するとともに、反射部である本体鍔部６１２３−３に照射された光は反射されるので、照明器具６００１−３の全体の光力が向上する。
【００８６】
本実施の形態６では、
（１）光源ユニット５０００が光源受部６１２１に当接し器具本体部６１００に配設された状態で、光源ユニット５０００の側方と第二側面部６１２２の間に操作空間６０００Ｓが形成されていることで、光源ユニット５０００の着脱を安全かつ容易に行うことができる。光源ユニット５０００の装着時は、操作空間６０００Ｓの存在により、最後まで作業者がカバー部５２００をつかんだ状態で光源ユニット５０００の取付作業を行える。よって、取付バネ２１０Ｍの復元力に対して作業者のつかむ力で調整がとれるので、取付バネ２１０Ｍで光源ユニット５０００が急に引き上げられることで光源ユニット５０００が破損することを防ぐことができ、また、操作空間６０００Ｓによって、光源ユニット５０００を外すときは確実に光源ユニット５０００の把持ができる。
（２）また、照明器具６００１は、第二側面部６１２２，６１２２−１、６１２２−２、６１２２−３のように、天板底部方向９３０４の長さの異なるバリエーションを持つことにより、照明器具ごとに、配光特性を変更することができる。
【００８７】
以上の実施の形態６によれば、操作空間６０００Ｓを確保したので、光源ユニットの取付け時に光源ユニットが破損しないように光源ユニットを安全に装着でき、また光源ユニットの着脱がしやすく、照明器具の側方にも出射し広角に配光する照明器具を提供できる。
【００８８】
実施の形態７．
図３４、図３５、図３６を参照して、実施の形態７の照明器具７００１を説明する。実施の形態７では、実施の形態６で説明した器具本体部６１００に対して、第一の本体部７１００と第二の本体部７２００とを有する器具本体部７０００を説明する。なお、実施の形態１から実施の形態６と同様の構成は実施の形態１から実施の形態６と同じ符号を付して詳しい説明は省略し、異なる構成について説明する。また、器具本体部７０００に取り付けられる光源ユニットは、実施の形態１から実施の形態６で説明した光源ユニットのどの光源ユニットでも良い。
【００８９】
図３４の（ａ）は、第一の本体部７１００、第二の本体部７２００の断面図である。図３４の（ｂ）は、第二の本体部７２００の側辺部７２１０である。図３４の（ｃ）は、側辺部７２１０を説明する図である。図３４に示すように、器具本体部７０００は、箱形状をした第一の本体部７１００と、第一の本体部７１００に取り付ける第二の本体部７２００を有する。（ｃ）の辺ＡＢを構成する現実の部材を「側辺部７２１０」とした場合、第二の本体部７２００は、辺ＡＢをなす側辺部７２１０を、辺ＢＣ、辺ＣＤ、辺ＤＡにも用いて四角状の枠形状に組み立てた形状であり、側辺部７２１０とは言い換えると、この枠形状の断面形状である。
【００９０】
（第二の本体部７２００）
側辺部７２１０は、第一の本体部７１００の側辺に当接しネジなどにより連結される本体当接部７２１１、第一の本体部７１００の開口端縁が当接する本体受部７２１２、光源受部７２１３、光源ユニット５０００の側方に位置する第二側面部７２１４、本体鍔部７２１５、を有している。
【００９１】
図３５の（ａ）（ｂ）（ｃ）は、それぞれ、側辺部７２１０の３つのバリエーションである側辺部７２１０−１、７２１０−２，７２１０−３を有する照明器具７００１−１，７００１−２，７００１−３を示す。
【００９２】
照明器具７００１−１を例として、照明器具７００１−１の構成を説明する。照明器具７００１−１は、光源ユニット５０００、受け側器具本体部９４０７である第二の本体部７２００−１、受け側器具本体部９４０７とは異なる別部品の別本体部９５０２である第一の本体部７１００−１を備える。光源ユニット５０００は、天板９３０３であるモジュール取付部５１００の二面のうち、開口９３０５を塞ぐ面の反対側の面９３０６に発光素子１１０１を点灯する点灯装置１５００が配置されている。受け側器具本体部９４０７である第二の本体部７２００−１は、天板受部９４０１である光源受部７２１３−１と、底部方向側面部９４０２である第二側面部７２１４−１とを有する。天板受部９４０１は中央の領域に開口である中央領域開口９４０３が形成され、中央領域開口９４０３の周囲９４０４で天板９３０３の周縁９４０５であるカバー受部５１２０を受ける板状をなす。
底部方向側面部９４０２は、中央領域開口９４０３の周囲９４０４から離れて位置する天板受部９４０１の周縁９４０６から、光源ユニット５０００の透光側面部９３０２に対向して天板９３０３から透光底部９３０１に向かう天板底部方向に立ち上がる。受け側器具本体部９４０７とは異なる別部品の別本体部９５０２である第一の本体部７１００−１は、受け側器具本体部９４０７の中央領域開口９４０３を天板底部方向９３０４から塞ぐ箱形状をなす。別本体部９５０２は、天板底部方向９３０４の端部が中央領域開口９４０３に接続する端部開口９５０１をなし、天板底部方向９３０４と反対方向に中央領域開口９４０３からはみ出した点灯装置１５００を天板底部方向９３０４から塞ぐ箱形状の内部に収納する。
【００９３】
器具本体部７０００は、図３４の（ｂ）の側辺部７２１０に対して、側辺部を、図３５の（ａ）に示す側辺部７２１０−１、（ｂ）に示す側辺部７２１０−２、（ｃ）に示す側辺部７２１０−３のような構成としてもよい。図３５の（ａ）では、側辺部７２１０−１は、本体当接部７２１１−１、本体受部７２１２−１、光源受部７２１３−１、第二側面部７２１４−１、本体鍔部７２１５−１を有している。図３５の（ｂ）では、側辺部７２１０−２は、本体当接部７２１１−２、本体受部７２１２−２、光源受部７２１３−２、第二側面部７２１４−２、本体鍔部７２１５−２を有している。図３５の（ｃ）では、側辺部７２１０−３は、本体当接部７２１１−３、本体受部７２１２−３、光源受部７２１３−３、第二側面部７２１４−３、本体鍔部７２１５−３を有している。
（１）図３５の（ａ）は、底部方向側面部９４０２である第二側面部７２１４−１は、天板底部方向９３０４の端部９４０８が、透光底部９３０１の天板底部方向９３０４の外面の位置に位置する。また本体鍔部７２１５−１の角度θが第二側面部７２１４の角度θよりも大きい。
（２）図３５の（ｂ）は、底部方向側面部９４０２である第二側面部７２１４−２は、天板底部方向９３０４の端部９４０８が、透光底部９３０１の天板底部方向９３０４の外面よりも遠い位置に位置する。また第二側面部７２１４−２の透光側面部９３０２と対向する内面には凹凸が形成されている。さらに本体鍔部７２１５−２の角度θが第二側面部７２１４の角度θよりも大きい。
（３）図３５の（ｃ）は、第二側面部７２１４−３が形成する開口が、天板底部方向９３０４方向に進むにつれて大きくなる。また本体鍔部７２１５−３が垂直に立っている形状である。
【００９４】
図３５の（ａ）（ｂ）（ｃ）のように、第二側面部７２１４の高さ、本体鍔部７２１５の形状が異なるものを用意することで、配光特性の・意匠の異なる照明器具を容易に形成することができる。つまり、実施の形態６で述べたのと同じように、底部方向側面部９４０２である第二側面部７２１４が、光源ユニット５０００から照射される光の配光を制御する。また、第一の本体部７１００は共通とすることで、生産効率を向上することができる。なお、第二の側面部の高さは図３５の（ａ）（ｂ）（ｃ）に限るものではなく、図２９、図３３の器具本体のような高さでも良い。
【００９５】
なお、第一の本体部７１００、第二の本体部７２００の連結方法は、図３６の（ａ），（ｂ）に示すようなものでも良い。図３６の（ａ）は第二の本体部７２００−４、第一の本体部７１００−１の組み合わせを示す。図３６の（ａ）では、第二の本体部７２００−４の光源受部７２１３−３で、第一の本体部７１００−１のフランジ部７１０１−１を受ける構成である。図３６の（ｂ）は、第二の本体部７２００−５と第一の本体部７１００−２の組み合わせを示す。図３６の（ｂ）では、第二の本体部７２００−２のフランジ部７２０１−５で、第一の本体部７１００−２のフランジ部７１０１−２を受ける構成である。
【００９６】
また、側辺部７２１０は板金などにより形成しても良いが、アルミ押出成形により政策しすることで、凹凸などの形状が容易に制作することができる。
【００９７】
図３５で述べたように、実施の形態７の照明器具は、受け側器具本体部９４０７である第二の本体部７２００を、光源ユニット５０００を交換することなく、第二の本体部７２００と異なる種別の他の第二の本体部７２００−１、７２００−２，７２００−３等に交換することにより、光源ユニット５０００から照射される光の配光を変更可能である。
【００９８】
以上の実施の形態７によれば、取付け時に破損しないように光源ユニットを安全に着脱ができ、また光源ユニットの着脱がしやすく、照明器具の側方にも出射し広角に配光する照明器具を提供することができる。
【符号の説明】
【００９９】
１  照明器具、１０  ビス、１００  器具本体部、１１０  本体底面部、１２０  側面部、１３０  電源端子台、１２１  傾斜部、１２２  光源受部、２００  固定機構、２１０Ｍ  取付バネ、２１１Ｍ  取付部、２１２Ｍ  円弧形状部、２１３Ｍ  先端部、２２０Ｍ  引掛受部、２２１Ｍ  開口、２２１Ｍ−１  開口縁部、２２２Ｍ  仮止め爪、２３０Ｌ  バネ受部、２３１Ｌ  開口、２３１Ｌ−１  開口縁部、２４０Ｌ  爪部、２４１Ｌ  爪先端部、２４２Ｌ  爪軸部、１０００  光源ユニット、１１００  発光モジュール、１１０１  発光素子、１１０２  基板、１２００  モジュール取付部、１２１０  取付正面部、１２１０−１  側辺、１２１０ａ  一方の面、１２１０ｂ  他方の面、１２１１  挿通孔、１２２０  取付側面部、１３００  カバー部、１３１０  カバー正面部、１３１０ａ  挿込方向、１３２０  カバー側面部、１３２０ａ  立上方向、１３２０ｂ  内面、１３２０ｃ  外面、１３２１  凸部、１３２２  カバー固定孔、１４００  固定具、１４１０  固定正面部、１４２０  カバー固定爪部、１５００  点灯装置、２０００  光源ユニット、２１００  カバー部、２１１０  カバー正面部、２１１０ａ  挿込方向、２１２０  カバー側面部、２１２０ａ  立上方向、２１２０ｂ  内面、２１２０ｃ  外面、２１２１  カバー固定孔、２１３０  外凸部、３０００  光源ユニット、３１００  モジュール取付部、３１１０  挿通孔、３２００  カバー部、３２１０  カバー正面部、３２１０ａ  挿込方向、３２２０  カバー側面部、３２２０ａ  立上方向、３２２０ｂ  内面、３２２０ｃ  外面、３２３０  内凸部、４０００  光源ユニット、４１００  モジュール取付部、４１１０  取付正面部、４１１０−１  側辺、４１１０ａ  一方の面、４１１０ｂ  他方の面、４１２０  取付側面部、４１３０  挿通孔、４２００  カバー部、４２１０  カバー正面部、４２１０ａ  挿込方向、４２２０  カバー側面部、４２２０ａ  立上方向、４２２０ｂ  内面、４２２０ｃ  外面、４２２１  挿込凸部、４２２２  カバー固定孔、４３００  固定具、４３１０  固定本体部、４３２０  カバー固定爪部、５０００  光源ユニット、５１００  モジュール取付部、５１１０  取付正面部、５１１０−１  側辺、５１１０ａ  一方の面、５１１０ｂ  他方の面、５１２０  カバー受部、５１２１  凹部、５１３０  挿通孔、５２００  カバー部、５２１０  カバー正面部、５２１０ａ  挿込方向、５２２０  カバー側面部、５２２０ａ  立上方向、５２２０ｂ  内面、５２２０ｃ  外面、５２２１  カバー固定溝、５２３０  外凸部、５３００  固定具、５３１０  固定正面部、５３２０  カバー固定爪部、６００１  照明器具、６１００  器具本体部、６１１０  第一の本体部、６１１１  本体正面部、６１１２  第一側面部、６１２０  第二の本体部、６１２１  光源受部、６１２２  第二側面部、６１２３  本体鍔部、７００１  照明器具、７０００  器具本体部、７１００  第一の本体部、７２００  第二の本体部、７２１０  側辺部、７２１１  本体当接部、７２１２  本体受部、７２１３  光源受部、７２１４  第二側面部、７２１５  本体鍔部、９０１０  被取付部、９０２０  ボルト、９１００  固定係止部、９２００  化粧部、９３０１  透光底部、９３０２  透光側面部、９３０３  天板、９３０４  天板底部方向、９３０５  開口、９４０１  天板受部、９４０２  底部方向側面部、９４０３  中央領域開口、９４０４  周囲、９４０５  周縁、９４０６  周縁、９４０７  受け側器具本体部、９４０８  端部、９５０１  端部開口、９５０２  別本体部。
【図１】
2020113552.tif 000003
【図２】
2020113552.tif 000004
【図３】
2020113552.tif 000005
【図４】
2020113552.tif 000006
【図５】
2020113552.tif 000007
【図６】
2020113552.tif 000008
【図７】
2020113552.tif 000009
【図８】
2020113552.tif 000010
【図９】
2020113552.tif 000011
【図１０】
2020113552.tif 000012
【図１１】
2020113552.tif 000013
【図１２】
2020113552.tif 000014
【図１３】
2020113552.tif 000015
【図１４】
2020113552.tif 000016
【図１５】
2020113552.tif 000017
【図１６】
2020113552.tif 000018
【図１７】
2020113552.tif 000019
【図１８】
2020113552.tif 000020
【図１９】
2020113552.tif 000021
【図２０】
2020113552.tif 000022
【図２１】
2020113552.tif 000023
【図２２】
2020113552.tif 000024
【図２３】
2020113552.tif 000025
【図２４】
2020113552.tif 000026
【図２５】
2020113552.tif 000027
【図２６】
2020113552.tif 000028
【図２７】
2020113552.tif 000029
【図２８】
2020113552.tif 000030
【図２９】
2020113552.tif 000031
【図３０】
2020113552.tif 000032
【図３１】
2020113552.tif 000033
【図３２】
2020113552.tif 000034
【図３３】
2020113552.tif 000035
【図３４】
2020113552.tif 000036
【図３５】
2020113552.tif 000037
【図３６】
2020113552.tif 000038